(57)【要約】 【課題】  適正な露出制御を行なうことができる撮影装置を提供する。【解決手段】  デジタルカメラ１が置かれた雰囲気の明るさを検知する可視光センサ２１で検知された雰囲気の明るさが、ＣＣＤ１０２で得られた画像信号に基づいて被写体の明るさを測光する測光手段４０で得られた測光値に相当する明るさよりも明るいときには、その測光値を、測光値補正手段５０で、より明るい被写体を測光したときの測光値に相当する値に補正し、可視光センサ２１で検知された雰囲気の明るさが、測光手段４０で得られた測光値に相当する明るさよりも暗いときには、その測光値を、測光値補正手段５０で、より暗い被写体を測光したときの測光値に相当する値に補正する。【選択図】  図４
2008205922.tif 000002
【特許請求の範囲】
【請求項１】
撮像素子上に被写体光を結像して画像信号を生成する撮影装置において、
当該撮影装置が置かれた雰囲気の明るさを検知する第１の可視光センサと、
前記撮像素子で得られた画像信号に基づいて被写体の明るさを測光する測光手段と、
前記測光手段で得られた測光値を、前記第１の可視光センサで検知された雰囲気の明るさが該測光値に相当する明るさよりも明るいときには、該測光値を、より明るい被写体を測光したときの測光値に相当する値に補正し、前記第１の可視光センサで検知された雰囲気の明るさが該測光値に相当する明るさよりも暗いときには、該測光値を、より暗い被写体を測光したときの測光値に相当する値に補正する測光値補正手段と、
前記測光値補正手段で補正された測光値に応じた露光量での撮影を行なう撮影手段とを備えたことを特徴とする撮影装置。
【請求項２】
前記測光値補正手段は、前記測光手段で得られた測光値を、前記第１の可視光センサで検知された雰囲気の明るさが該測光値に相当する明るさよりも所定値以上明るいときに、該測光値を、より明るい被写体を測光したときの測光値に相当する値に補正し、前記第１の可視光センサで検知された雰囲気の明るさが該測光値に相当する明るさよりも所定値以上暗いときに、該測光値を、より暗い被写体を測光したときの測光値に相当する値に補正するものであることを特徴とする請求項１記載の撮影装置。
【請求項３】
当該撮影装置が置かれた雰囲気の明るさを検知する前記第１の可視光センサに加え、さらに、当該撮影装置の前方の雰囲気の明るさを検知する第２の可視光センサを備え、
前記測光値補正手段は、前記第２の可視光センサで検知された明るさが前記第１の可視光センサで検知された明るさよりも明るいときには、該第１の可視光センサで検知された明るさに代えて該第２の可視光センサで検知された明るさを採用して、前記測光手段で得られた測光値を補正するものであることを特徴とする請求項１記載の撮影装置。
【請求項４】
当該撮影装置が、さらに、
当該撮影装置前面に配置された、フラッシュ撮影時に被写体に向けてフラッシュ光を発光するフラッシュ発光部と、
前記フラッシュ発光部に隣接した位置に配置された、雰囲気の明るさを検知する第２の可視光センサと、
フラッシュ撮影時に、前記第２の可視光センサで検知された明るさが、前記第１の可視光センサで検知された明るさと比べ所定値を越えて暗い明るさであったときに警告を出力する警告出力手段とを備えたことを特徴とする請求項１記載の撮影装置。
【請求項５】
前記第１の可視光センサが、当該撮影装置の背面に配置されたものであって、当該撮影装置が、さらに、該撮影装置前面に配置された、フラッシュ撮影時に被写体に向けてフラッシュ光を発光するフラッシュ発光部と、当該撮影装置の前方の雰囲気の明るさを検知する第２の可視光センサとを備え、
前記第２の可視光センサで検知された明るさが、前記第１の可視光センサで検知された明るさと比べ所定値を越えて明るい明るさであったときに、前記撮影手段に、日中シンクロ撮影を行なわさせる撮影制御手段とを備えたことを特徴とする請求項１記載の撮影装置。
【発明の詳細な説明】
【技術分野】
【０００１】
本発明は、撮像素子上に被写体光を結像して画像信号を生成する撮影装置に関する。
【背景技術】
【０００２】
従来より、撮影装置の一つであるデジタルカメラにおいて、ＣＣＤ撮像素子等の撮像素子上に被写体光を結像して画像信号を生成し、生成した画像信号に基づく画像の被写体輝度を測光して適正な露出に自動制御するＡＥ（Ａｕｔｏｍａｔｉｃ  Ｅｘｐｏｓｕｒｅ）制御が行なわれている。
【０００３】
このような、いわゆるＣＣＤ撮像素子によるＡＥ制御では、画像全体の積分値が１８％グレー（反射率１８％のグレー）に近づけようとする。従って、白い被写体はアンダー気味に（黒っぽく）、黒い被写体はオーバー気味に（白っぽく）撮影されてしまうという問題がある。
【０００４】
ここで、従来より、被写体輝度を測光する測光センサを備え、撮影にあたり、その測光センサで得られた測光値に基づいて適正な露出値を得るということも行なわれている。例えば、特許文献１には、被写体輝度を測光する測光センサを備え、その測光センサにより得られた露出値を、設定された撮像素子の感度に応じて補正する技術が提案されている。
【０００５】
また、特許文献２には、被写体輝度を測光する測光センサを備え、フィルタの装着やズーム倍率によりレンズの明るさが異なる場合であっても、測光センサからの出力結果を明るさ補正して得られた目標値と、撮像素子による目標値とから、新たに目標値を作成することにより、輝度段差を防止するとともに露出補正の精度を高める技術が提案されている。
【特許文献１】特開２００５−１１７４８１号公報
【特許文献２】特開２００６−１２１３８５号公報
【発明の開示】
【発明が解決しようとする課題】
【０００６】
しかしながら、上述した特許文献１，２に提案された技術においても、画面全体の平均輝度が１８％グレーになるという経験則を基本に置いて、絞りやシャッタ速度が制御される。このため、被写体輝度を測光する測光センサを備えても、画面内の主要被写体が黒っぽいものであったり、あるいは白っぽいものであったりする場合であって、画面内に占める割合が大きい場合は、上記経験則が成り立たずオーバー気味やアンダー気味に露光されてしまうという問題は何ら解決されていない。
【０００７】
本発明は、上記事情に鑑み、適正な露出制御を行なうことができる撮影装置を提供することを目的とする。
【課題を解決するための手段】
【０００８】
上記目的を達成する本発明の撮影装置は、撮像素子上に被写体光を結像して画像信号を生成する撮影装置において、
当該撮影装置が置かれた雰囲気の明るさを検知する第１の可視光センサと、
上記撮像素子で得られた画像信号に基づいて被写体の明るさを測光する測光手段と、
上記測光手段で得られた測光値を、上記第１の可視光センサで検知された雰囲気の明るさがその測光値に相当する明るさよりも明るいときには、その測光値を、より明るい被写体を測光したときの測光値に相当する値に補正し、上記第１の可視光センサで検知された雰囲気の明るさがその測光値に相当する明るさよりも暗いときには、その測光値を、より暗い被写体を測光したときの測光値に相当する値に補正する測光値補正手段と、
上記測光値補正手段で補正された測光値に応じた露光量での撮影を行なう撮影手段とを備えたことを特徴とする。
【０００９】
本発明の撮影装置は、従来の、被写体輝度を測光する測光センサに代えて、当該撮影装置が置かれた雰囲気の明るさを検知する第１の可視光センサを備えており、この第１の可視光センサで検知された雰囲気の明るさが、撮像素子で得られた画像信号に基づいて被写体の明るさを測光する測光手段で得られた測光値に相当する明るさよりも明るいときには、その測光値を、測光値補正手段で、より明るい被写体を測光したときの測光値に相当する値に補正する。このようにすることにより、主要被写体が白っぽいものであったりする場合であっても、アンダー気味に露光されることを防止することができる。また、これとは逆に、第１の可視光センサで検知された雰囲気の明るさが、測光手段で得られた測光値に相当する明るさよりも暗いときには、その測光値を、測光値補正手段で、より暗い被写体を測光したときの測光値に相当する値に補正する。このようにすることにより、主要被写体が黒っぽいものであったりする場合であっても、オーバー気味に露光されることを防止することができる。従って、適正な露出制御を行なうことができ、撮影画像の品質（写真性）を高めることができる。
【００１０】
ここで、上記測光値補正手段は、上記測光手段で得られた測光値を、上記第１の可視光センサで検知された雰囲気の明るさがその測光値に相当する明るさよりも所定値以上明るいときに、その測光値を、より明るい被写体を測光したときの測光値に相当する値に補正し、上記第１の可視光センサで検知された雰囲気の明るさがその測光値に相当する明るさよりも所定値以上暗いときに、その測光値を、より暗い被写体を測光したときの測光値に相当する値に補正するものであることが好ましい。
【００１１】
このように、第１の可視光センサで検知された明るさが所定値以上明るいときに、より明るい被写体を測光したときの測光値に相当する値に補正し、第１の可視光センサで検知された明るさが所定値以上暗いときに、より暗い被写体を測光したときの測光値に相当する値に補正すると、測光値を簡単に補正することができる。
【００１２】
また、当該撮影装置が置かれた雰囲気の明るさを検知する上記第１の可視光センサに加え、さらに、当該撮影装置の前方の雰囲気の明るさを検知する第２の可視光センサを備え、
上記測光値補正手段は、上記第２の可視光センサで検知された明るさが上記第１の可視光センサで検知された明るさよりも明るいときには、その第１の可視光センサで検知された明るさに代えてその第２の可視光センサで検知された明るさを採用して、上記測光手段で得られた測光値を補正するものであることも好ましい態様である。
【００１３】
このようにすると、例えば、当該撮影装置で室内から屋外を撮影する場合、第２の可視光センサで検知された屋外の雰囲気の明るさを採用して、測光手段で得られた測光値が補正される。このため、室内から屋外を撮影する場合であっても、正確に測光値を補正することができる。
【００１４】
また、当該撮影装置が、さらに、
当該撮影装置前面に配置された、フラッシュ撮影時に被写体に向けてフラッシュ光を発光するフラッシュ発光部と、
上記フラッシュ発光部に隣接した位置に配置された、雰囲気の明るさを検知する第２の可視光センサと、
フラッシュ撮影時に、上記第２の可視光センサで検知された明るさが、上記第１の可視光センサで検知された明るさと比べ所定値を越えて暗い明るさであったときに警告を出力する警告出力手段とを備えたことも好ましい。
【００１５】
このようにすると、フラッシュ撮影にあたり、フラッシュ発光部に指がかかっている場合、第２の可視光センサで検知された明るさは、第１の可視光センサで検知された明るさと比べ、所定値を越えた暗い明るさとなるため、警告出力手段で警告が出力される。これにより、撮影者は、フラッシュ発光部に指がかかっていることを知ることができ、フラッシュ発光部からその指を退けてフラッシュ光を発光させることができる。従って、フラッシュ撮影においても、適正に露出制御を行なうことができる。
【００１６】
さらに、上記第１の可視光センサが、当該撮影装置の背面に配置されたものであって、当該撮影装置が、さらに、その撮影装置前面に配置された、フラッシュ撮影時に被写体に向けてフラッシュ光を発光するフラッシュ発光部と、当該撮影装置の前方の雰囲気の明るさを検知する第２の可視光センサとを備え、
上記第２の可視光センサで検知された明るさが、上記第１の可視光センサで検知された明るさと比べ所定値を越えて明るい明るさであったときに、上記撮影手段に、日中シンクロ撮影を行なわさせる撮影制御手段とを備えたことも好ましい。
【００１７】
このように、撮影装置の前面，背面に第１，第２の可視光センサを配置し、この撮影装置の前面側の雰囲気の明るさが背面側の雰囲気の明るさに比べ、所定値を越えて明るいと判定された場合は逆光であると判定し、撮影手段に対して、撮影制御手段で日中シンクロ撮影を行なわさせると、逆光であっても、適正な露出制御を行なうことができる。
【発明の効果】
【００１８】
本発明によれば、適正な露出制御を行なうことができる撮影装置を提供することができる。
【発明を実施するための最良の形態】
【００１９】
以下、本発明の実施の形態について説明する。
【００２０】
図１は、本発明の撮影装置の第１実施形態であるデジタルカメラを斜め右上から見た斜視図、図２は、図１に示すデジタルカメラを上方から見た上面図、図３は、図１に示すデジタルカメラを背面から見た背面図である。
【００２１】
このデジタルカメラ１は、撮像素子の１つであるＣＣＤ撮像素子（以下、ＣＣＤと記述する）上に被写体光を結像して画像信号を生成する撮影装置である。このデジタルカメラ１は、図１に示すようにカメラボディ１ａの中央にレンズ鏡胴１０が配備されている。また、このカメラボディ１ａの上面にはパワーボタン１１が配備されており、このパワーボタン１１が操作されたら、図１，図２に示すようにレンズ鏡胴１０が繰出されて撮影準備が整えられるようになっている。
【００２２】
さらに、カメラボディ１ａの上面には、電源投入用のパワーボタン１１のほか、レリーズボタン１２とそのレリーズボタン１２の廻りに撮影モードダイヤル１２＿１とが配備されており、この撮影モードダイヤル１２＿１がＡＵＴＯ（図２参照）に切り替えられているときにレリーズボタン１２が押されて撮影が行なわれるときにはデジタルカメラ１の内部に自動的に撮影条件が設定されて撮影が行なわれる。また、この撮影モードダイヤル１２＿１がマニュアル（符号Ｍ）に切り替えられると、マニュアル撮影が行なわれるようになり、さらに動画撮影モードに切り替えられると、動画撮影が行なわれるようになり、シーンポジション（符号ＳＰ）側に切り替えられると、撮影シーンに応じた撮影条件がデジタルカメラ１内部に自動的に設定されて撮影が行なわれるようになる。
【００２３】
また、図３に示すように、カメラボディ１ａの背面側には、液晶モニタ１３が設けられており、撮影モード時には、この液晶モニタ１３上に被写体が表示されたり、メニューが表示されたりする。この撮影モードにあるときに液晶モニタ１３の脇にある再生ボタン１４が一度押されると、再生モードに切り替わり既撮影画像が液晶モニタ１３上に表示され、この再生ボタン１４が再度押されると、撮影モードに切り替わりスルー画像が液晶モニタ１３上に表示される。また、再生モードボタン１４の横には、Ｆ（フォトモード）ボタン１５が配備されており、よく用いられるモード、例えばピクセル設定モードや感度設定モードなどの切り替えがこのＦボタン１５の操作により簡単に行なえるようにもなっている。
【００２４】
また、そのＦボタン１５の下方には十字キー１６やＯＫ／メニューボタン１７が配備され上方にはズームスイッチ１８が配備されている。これら十字キー１６やＯＫ／メニューボタン１７の操作により、セットアップメニューに切り替えて日時の設定や画像表示を行なうか否かの設定等を行なったり、撮影メニューに切り替えて連写，セルフタイマ等を選択したりすることができる。
【００２５】
さらに、十字キー１６の下方には、液晶モニタ１３の表示を切り換えたり操作を途中でやめるときなどに使用されるＤＳＰ／ＢＡＣＫボタン１９が配備されている。
【００２６】
また、図１に示すカメラボディ１ａの上面には、デジタルカメラ１が置かれた雰囲気の明るさを検知する可視光センサ２１（図４参照；本発明にいう第１の可視光センサの一例に相当）を備えた測光ユニット２０が配備されている。
【００２７】
さらに、図１に示すカメラボディ１ａの前面の右上には、キセノン管を備え、フラッシュ撮影時にはこのキセノン管から被写体に向けてフラッシュ光を発光するフラッシュ発光部３０が配備されている。
【００２８】
図４は、図１に示すデジタルカメラの内部構成を示す図である。
【００２９】
図４に示すデジタルカメラ１には、図１に示すレンズ鏡胴１０内に配備された撮影レンズ１０１と、ＣＣＤ１０２が備えられている。ＣＣＤ１０２は、撮影レンズ１０１を経由してきた被写体光を捉える固体撮像素子である。このＣＣＤ１０２には、入射された被写体光を電気信号である画像信号に変換するフォトダイオード等の光電変換素子が多数個備えられている。
【００３０】
また、デジタルカメラ１には、ＣＣＤ１０２から出力されたアナログ画像信号の雑音を低減する処理やそのアナログ画像信号が表わす色の色分離処理を行なうＣＤＳ＆色分離部１０３と、それらの処理が施されたアナログ画像信号をデジタル画像信号にアナログ／デジタル変換するＡ／Ｄ部１０４と、Ａ／Ｄ部１０４でデジタル画像信号に変換されたＲＧＢからなる画像データに基づいてホワイトバランスの調整やγ処理を行なうＷＢ調整・γ処理部１０５とが備えられている。
【００３１】
さらに、デジタルカメラ１には、このデジタルカメラ１全体の制御を行なうＣＰＵ１０６と、このＣＰＵ１０６からの指示により所定のタイミングで上記ＣＣＤ１０２，ＣＤＳ＆色分離部１０３，Ａ／Ｄ部１０４，ＷＢ調整・γ処理部１０５を駆動するクロックジェネレータ１０７と、ＷＢ調整・γ処理部１０５で処理された画像データを格納するバッファメモリ１０８と、画像データが伝送されるデータバス１０９とが備えられている。
【００３２】
また、デジタルカメラ１には、図１にも示す測光ユニット２０が備えられている。この測光ユニット２０には、前述した可視光センサ２１と、その可視光センサ２１の前面に設けられた拡散板２２が備えられている。この測光ユニット２０では、拡散板２２を介して被写体光が可視光センサ２１に入射されるため、広い範囲にわたりこのデジタルカメラ１が置かれた雰囲気の明るさを検知することができる。
【００３３】
さらに、デジタルカメラ１には、測光手段４０と測光値補正手段５０が備えられている。
【００３４】
測光手段４０は、ＣＣＤ１０２で得られた画像信号に基づいて被写体の明るさを測光する。即ち、ＣＣＤ１０２で得られた画像信号に基づく画像の被写体輝度を測光して露出制御する、いわゆるＣＣＤによるＡＥ（Ａｕｔｏｍａｔｉｃ  Ｅｘｐｏｓｕｒｅ）制御により、被写体の明るさを測光する。
【００３５】
測光値補正手段５０は、測光手段４０で得られた測光値を、可視光センサ２１で検知された雰囲気の明るさがその測光値に相当する明るさよりも所定値以上明るいときに、その測光値を、より明るい被写体を測光したときの測光値に相当する値に補正する。また、可視光センサ２１で検知された雰囲気の明るさがその測光値に相当する明るさよりも所定値以上暗いときに、その測光値を、より暗い被写体を測光したときの測光値に相当する値に補正する。
【００３６】
また、デジタルカメラ１には、各ブロックに必要な電源電圧を供給する電源部１１０と、前述したフラッシュ発光部３０と、バッファメモリ１０８に格納された画像データからなるＲＧＢ信号をＹＣ信号に変換するＹＣ処理部１１１とが備えられている。
【００３７】
さらに、デジタルカメラ１には、圧縮・伸張部１１２と、Ｉ／Ｆ（インターフェース）１１３と、メモリカード１１４とが備えられている。圧縮・伸張部１１２は、ＹＣ信号を圧縮処理する。圧縮処理された画像信号は、Ｉ／Ｆ１１３を経由してメモリカード１１４に記録される。また、圧縮・伸張部１１２は、メモリカード１１４からの圧縮画像信号を、Ｉ／Ｆ１１３を経由して伸張処理する。伸張処理された画像信号は、データバス１０９を経由してバッファメモリ１０８に格納される。
【００３８】
また、デジタルカメラ１には、デジタルカメラ１として動作するために必要なプログラムが書き込まれているＥＥＰＲＯＭ１１５と、前述したパワーボタン１１，レリーズボタン１２，撮影モードダイヤル１２＿１，再生ボタン１４，Ｆボタン１５，十字キー１６、ＯＫ／メニューボタン１７，ズームスイッチ１８，ＤＳＰ／ＢＡＣＫボタン１９からなる操作部１１６が備えられている。
【００３９】
さらに、デジタルカメラ１には、前述したＹＣ処理部１１１で変換されたＹＣ信号を再びＲＧＢ信号に変換するＹＣ→ＲＧＢ変換部１１７と、その変換されたＲＧＢ信号を図３にも示す液晶モニタ１３に供給するドライバ１１８が備えられている。
【００４０】
ここで、このデジタルカメラ１の概略動作について説明する。操作部１１６の中のパワーボタン１１が投入される。すると、ＣＰＵ１０６によりパワーボタン１１が投入されたことが検知され、電源部１１０から各ブロックに電力が供給される。ここで、撮影モードダイヤル１２＿１がＡＵＴＯに切り替えられているときには、撮影レンズ１０１を経由してＣＣＤ１０２に結像された被写体像が画像信号として所定の間隔ごとに間引かれて出力され、その出力された画像信号に基づく被写体像がスルー画像として液晶モニタ１３上に表示される。このＣＣＤ１０２にはクロックジェネレータ１０７からタイミング信号が供給されており、このタイミング信号によって所定の間隔ごとに、画像信号が間引かれて出力される。このクロックジェネレータ１０７は、ＣＰＵ１０６からの指示に基づいてタイミング信号を出力しており、そのタイミング信号は、ＣＣＤ１０２の他、後段のＣＤＳ＆色分離部１０３、Ａ／Ｄ部１０４、およびＷＢ調整・γ処理部１０５にも供給されている。従って、ＣＣＤ１０２、ＣＤＳ＆色分離部１０３、Ａ／Ｄ部１０４、ＷＢ調整・γ処理部１０５ではそのタイミング信号に同期して順序良く画像信号の処理が流れるように行なわれる。
【００４１】
このようにＣＰＵ１０６の指示に応じてクロックジェネレータ１０７から出力されるタイミング信号に同期してＡ／Ｄ部１０４でデジタルの画像信号に変換され、またＷＢ調整・γ処理部１０５でホワイトバランス調整やγ補正が所定の間隔ごとに行なわれていくときには、それらの画像信号の流れをうまく調整する必要があるので、後段に設けられたバッファメモリ１０８を介して、所定の間隔ごとに画像信号をＹＣ処理部１１１に転送していくタイミングが調整される。このバッファメモリ１０８からは古い時刻に記憶された画像信号から先にＹＣ処理部１１１へ転送される。そのＹＣ処理部１１１に転送された画像信号は、ＹＣ処理部１１１でＲＧＢ信号からＹＣ信号に変換され、その後データバス１０９を介してＹＣ→ＲＧＢ変換部１１７に供給される。このＹＣ→ＲＧＢ変換部１１７でＹＣ信号が再びＲＧＢ信号に変換され、その変換されたＲＧＢ信号がドライバ１１８を経由して液晶モニタ１３に供給される。これにより、液晶モニタ１３上に被写体像の画像表示が行なわれる。前述したクロックジェネレータ１０７から出力されるタイミング信号に同期してＣＣＤ１０２、ＣＤＳ＆色分離部１０３、Ａ／Ｄ部１０４、ＷＢ調整・γ補正部１０５が動作して、所定の間隔ごとにＣＣＤ１０２で生成された画像信号が処理されている訳であるから、この液晶モニタ１３上には撮影レンズ１０１が向けられた方向の被写体が被写体像として常に表示され続ける。この表示され続けている被写体像を視認しながら、シャッタチャンスにレリーズボタン１２が押されると、そのレリーズボタン１２の押下タイミングを起点として所定の時間を経た後、ＣＣＤ１０２に結像された画像信号すべてがＲＧＢ信号となって出力される。このＲＧＢ信号はＹＣ処理部１１１でＹＣ信号に変換されてさらに圧縮・伸張部１１２でＹＣ信号が圧縮され、その圧縮された画像信号がＩ／Ｆ１１３を経由してメモリカード１１４に記録される。この圧縮・伸張部１１２では静止画についてはＪＰＥＧ規格に準拠した圧縮方式で圧縮が行なわれてメモリカード１１４に画像信号が記録される。画像信号からなるファイルのヘッダ部には圧縮情報や撮影情報などが書き込まれており、再生ボタン１４（図３参照）が押されると再生モードに切り替わり、メモリカード１１４からそのファイルのヘッダがまず読み出され、そのヘッダ内の圧縮情報に基づいてファイル内の圧縮画像信号が伸張されて画像信号が元に復元された後、その画像信号に基づく被写体像が液晶モニタ１３上に表示される。
【００４２】
一般に、ＣＣＤによるＡＥ制御においては、画面全体の平均輝度が１８％グレーになるという経験則を基本に置いて、６０ＩＲＥ前後の明るさになる様に絞り／シャッタ速度を制御して、測光値を得る。ところが、画面内の主要被写体が黒っぽいものであったり、あるいは白っぽいものであったりする場合であって、画面内に占める割合が大きい場合は、上記経験則が成り立たずオーバー気味やアンダー気味に露光されてしまう。
【００４３】
第１実施形態のデジタルカメラ１には、従来の、被写体輝度を測光する測光センサに代えて、このデジタルカメラ１が置かれた雰囲気の明るさを検知する可視光センサ２１が備えており、このデジタルカメラ１は、可視光センサ２１で検知された雰囲気の明るさが、ＣＣＤ１０２で得られた画像信号に基づいて被写体の明るさを測光する測光手段４０で得られた測光値に相当する明るさよりも明るいときには、その測光値を、測光値補正手段５０で、より明るい被写体を測光したときの測光値に相当する値に補正する。このようにすることにより、主要被写体が白っぽいものであったりする場合であっても、アンダー気味に露光されることを防止することができる。また、これとは逆に、可視光センサ２１で検知された雰囲気の明るさが、測光手段４０で得られた測光値に相当する明るさよりも暗いときには、その測光値を、測光値補正手段５０で、より暗い被写体を測光したときの測光値に相当する値に補正する。このようにすることにより、主要被写体が黒っぽいものであったりする場合であっても、オーバー気味に露光されることを防止することができる。従って、適正な露出制御を行なうことができ、撮影画像の品質（写真性）を高めることができる。以下、図５を参照して詳細に説明する。
【００４４】
図５は、図４に示す測光値補正手段で実行される測光値補正動作のフローチャートである。
【００４５】
先ず、ステップＳ１において、レリーズボタン１２を半押し（Ｓ１オン）する。
【００４６】
次に、ステップＳ２において、ＣＣＤ１０２によるＡＥ制御による測光を行なって測光値Ａを得る。詳細には、液晶モニタ１３の画面全体の平均輝度が１８％グレーになるという経験則を基本に置いて、６０ＩＲＥ前後の明るさになる様に絞り／シャッタ速度を制御して、測光値Ａを得る。
【００４７】
さらに、ステップＳ３において、このデジタルカメラ１が置かれた雰囲気の明るさを可視光センサ２１で検知して測光値Ｂを得る。
【００４８】
次いで、ステップＳ４において、測光値Ａと測光値Ｂを比較する。比較した結果、測光値Ａと測光値Ｂとがほぼ同じ（Ａ≒Ｂ）であると判定された場合は、ステップＳ５に進む。ステップＳ５では、測光値Ａ（ＣＣＤ測光値）をそのまま使用することとし、さらにステップＳ８に進んで測光を完了する。
【００４９】
また、ステップＳ４において、測光値Ａと測光値Ｂとを比較した結果、測光値Ａのほうが測光値Ｂよりも大きい（Ａ＞Ｂ）と判定された場合は、露出がオーバー気味であるため、ステップＳ６に進む。ステップＳ６では、測光値Ａが小さくなるように補正（ＣＣＤ測光値のオーバー補正）する。その後、ステップＳ８に進んで測光を完了する。
【００５０】
また、ステップＳ４において、測光値Ａと測光値Ｂとを比較した結果、測光値Ａのほうが測光値Ｂよりも小さい（Ａ＜Ｂ）と判定された場合は、露出がアンダー気味であるため、ステップＳ７に進む。ステップＳ７では、測光値Ａが大きくなるように補正（ＣＣＤ測光値のアンダー補正）する。その後、ステップＳ８に進んで測光を完了する。
【００５１】
図６は、本発明の撮影装置の第２実施形態であるデジタルカメラを斜め右上から見た斜視図、図７は、図６に示すデジタルカメラの内部構成を示す図である。
【００５２】
尚、前述した図１，図４に示すデジタルカメラ１の構成要素と同一の構成要素には、図１，図４に付した符号と同一の符号を付して示し、相違点を中心に説明する。
【００５３】
図６に示すデジタルカメラ２には、カメラボディ１ａの前面上部に、このデジタルカメラ２の前方の雰囲気の明るさを検知する可視光センサ６０１（図７参照；本発明にいう第２の可視光センサの一例に相当）を備えた測光ユニット６００が配備されている。
【００５４】
また、このデジタルカメラ２には、図７に示すように、図６にも示す測光ユニット６００が備えられている。この測光ユニット６００には、上記可視光センサ６０１と、その可視光センサ６０１の前面に設けられた拡散板６０２が備えられている。このように、このデジタルカメラ２には、このデジタルカメラ２が置かれた雰囲気の明るさを検知する可視光センサ２１に加え、さらに、このデジタルカメラ２の前方の雰囲気の明るさを検知する可視光センサ６０１が備えられている。
【００５５】
また、デジタルカメラ２には、測光値補正手段７０が備えられている。この測光値補正手段７０は、可視光センサ６０１で検知された明るさが可視光センサ２１で検知された明るさよりも明るいときには、可視光センサ２１で検知された明るさに代えて可視光センサ６０１で検知された明るさを採用して、測光手段４０で得られた測光値Ａを補正するものである。
【００５６】
例えば、このデジタルカメラ２で室内から屋外を撮影する場合、室内の雰囲気は、カメラボディ１ａの上面に配備された測光ユニット２０を構成する可視光センサ２１で検知される。一方、屋外の雰囲気は、カメラボディ１ａの前面に配備された測光ユニット６００を構成する可視光センサ６０１で検知される。室内から屋外を撮影する場合は、可視光センサ６０１で検知された明るさのほうが可視光センサ２１で検知された明るさよりも明るく、従って測光値補正手段７０は、可視光センサ２１で検知された明るさに代えて可視光センサ６０１で検知された明るさを採用して、測光手段４０で得られた測光値Ａを補正する。このようにすることにより、室内から屋外を撮影する場合、雰囲気の明るさを正確に測定することができ、従ってさらに適正な露出制御を行なうことができる。
【００５７】
図８は、本発明の撮影装置の第３実施形態であるデジタルカメラを斜め右上から見た斜視図、図９は、図８に示すデジタルカメラの内部構成を示す図である。
【００５８】
尚、前述した図１，図４に示すデジタルカメラ１の構成要素と同一の構成要素には、図１，図４に付した符号と同一の符号を付して示し、相違点を中心に説明する。
【００５９】
図８に示すデジタルカメラ３には、フラッシュ発光部３０の下部に、雰囲気の明るさを検知する可視光センサ６１１（図９参照；本発明にいう第２の可視光センサの他の一例に相当）を備えた測光ユニット６１０が配備されている。また、図８に示すデジタルカメラ３の上面には、スピーカ９２（図９参照）からの音声を放音する放音部８０が設けられている。測光ユニット６１０には、図９に示すように、可視光センサ６１１の前面に拡散板６１２が備えられている。また、このデジタルカメラ３には、フラッシュ撮影時に、可視光センサ６１１で検知された明るさが、可視光センサ２１で検知された明るさと比べ所定値を越えて暗い明るさであったときに警告を出力する警告出力手段９０が備えられている。警告出力手段９０は、音声生成部９１とスピーカ９２から構成されている。
【００６０】
このデジタルカメラ３には、フラッシュ発光部３０の下部に、可視光センサ６１１を備えた測距ユニット６１０が設けられているため、フラッシュ撮影にあたり、フラッシュ発光部３０に指がかかると、可視光センサ６１１で検知された明るさは、可視光センサ２１で検知された明るさと比べ、所定値を越えた暗い明るさとなる。これを受けて、警告出力手段９０を構成する音声生成部９１で警告を行なうための音声信号が生成される。生成された音声信号は、放音部８０を介してスピーカ９２で空中に放音される。これにより、撮影者は、フラッシュ発光部３０に指がかかっていることを知ることができ、フラッシュ発光部３０からその指を退けてフラッシュ光を発光させることができる。従って、フラッシュ撮影においても、適正に露出制御を行なうことができる。
【００６１】
図１０は、本発明の撮影装置の第４実施形態であるデジタルカメラを正面から見た正面図、図１１は、図１０に示すデジタルカメラを背面から見た背面図、図１２は、図１０に示すデジタルカメラの内部構成を示す図である。
【００６２】
尚、前述した図１，図３，図４に示すデジタルカメラ１の構成要素と同一の構成要素には、図１，図３，図４に付した符号と同一の符号を付して示し、相違点を中心に説明する。
【００６３】
図１０に示すデジタルカメラ４の前面には、フラッシュ発光部３０と、このデジタルカメラ４の前方の雰囲気の明るさを検知する可視光センサ６２１（図１２参照；本発明にいう第２の可視光センサの更なる他の一例に相当）を備えた測光ユニット６２０が配備されている。また、このデジタルカメラ４の背面には、図１１に示すように、このデジタルカメラ４が置かれた雰囲気の明るさを検知する可視光センサ２０１（図１２参照；本発明にいう第１の可視光センサの他の一例に相当）を備えた測光ユニット２００が配備されている。測光ユニット２００には、図１２に示すように、可視光センサ２０１の前面に拡散板２０２が備えられている。
【００６４】
また、このデジタルカメラ４には、可視光センサ６２１で検知された明るさが、可視光センサ２０１で検知された明るさと比べ所定値を越えて暗い明るさであったときに、本発明にいう撮影手段の役割りを担うＣＰＵ１０６に、日中であってもフラッシュ発光部３０で被写体に向けてフラッシュ光を発光して撮影を行なう日中シンクロ撮影を行なわせる撮影制御手段１００が備えられている。
【００６５】
このデジタルカメラ４では、このデジタルカメラ４の前面，背面に可視光センサ６２１，２０１を配置し、前面側の雰囲気の明るさが背面側の雰囲気の明るさに比べ、所定値を越えて明るいと判定された場合は逆光であると判定し、撮影制御手段１００で、ＣＰＵ１０６に日中シンクロ撮影を行なわさせる。このようにすることにより、逆光であっても、適正な露出制御を行なうことができる。
【００６６】
尚、上述した実施形態では、本発明にいう撮像素子として、ＣＣＤの例で説明したが、これに限られるものではなく、本発明にいう撮像素子は、ＣＭＯＳセンサや有機半導体であってもよい。
【００６７】
また、上述した実施形態では、本発明にいうフラッシュ発光部として、キセノン管を備えたフラッシュ発光部の例で説明したが、これに限られるものではなく、本発明にいう撮像素子は、発光ダイオード（ＬＥＤ）を備えたフラッシュ発光部であってもよく、あるいは電界発光素子（エレクトロ・ルミネッセンス素子：ＥＬ素子）を備えたフラッシュ発光部であってもよい。
【００６８】
また、上述した本実施形態では、本発明にいう撮影装置として、デジタルカメラの例で説明したが、これに限られるものではなく、本発明にいう撮影装置は、携帯電話に搭載されるカメラやビデオカメラ等であってもよい。
【図面の簡単な説明】
【００６９】
【図１】本発明の撮影装置の第１実施形態であるデジタルカメラを斜め右上から見た斜視図である。
【図２】図１に示すデジタルカメラを上方から見た上面図である。
【図３】図１に示すデジタルカメラを背面から見た背面図である。
【図４】図１に示すデジタルカメラの内部構成を示す図である。
【図５】図４に示す測光値補正手段で実行される測光値補正動作のフローチャートである。
【図６】本発明の撮影装置の第２実施形態であるデジタルカメラを斜め右上から見た斜視図である。
【図７】図６に示すデジタルカメラの内部構成を示す図である。
【図８】本発明の撮影装置の第３実施形態であるデジタルカメラを斜め右上から見た斜視図である。
【図９】図８に示すデジタルカメラの内部構成を示す図である。
【図１０】本発明の撮影装置の第４実施形態であるデジタルカメラを正面から見た正面図である。
【図１１】図１０に示すデジタルカメラを背面から見た背面図である。
【図１２】図１０に示すデジタルカメラの内部構成を示す図である。
【符号の説明】
【００７０】
１，２，３，４  デジタルカメラ
１ａ  カメラボディ
１０  レンズ鏡胴
１１  パワーボタン
１２  レリーズボタン
１２＿１  撮影モードダイヤル
１３  液晶モニタ
１４  再生ボタン
１５  Ｆボタン
１６  十字キー
１７  ＯＫ／メニューボタン
１８  ズームスイッチ
１９  ＤＳＰ／ＢＡＣＫボタン
２０，２００，６００，６１０，６２０  測光ユニット
２１，２０１，６０１，６１１，６２１  可視光センサ
２２，２０２，６０２，６１２，６２２  拡散板
３０  フラッシュ発光部
４０  測光手段
５０，７０  測光値補正手段
８０  放音部
９０  警告出力手段
９１  音声生成部
９２  スピーカ
１００  撮影制御手段
１０１  撮影レンズ
１０２  ＣＣＤ
１０３  ＣＤＳ＆色部分離部
１０４  Ａ/Ｄ部
１０５  ＷＢ調整・γ処理部
１０６  ＣＰＵ
１０７  クロックジェネレータ
１０８  バッファメモリ
１０９  データバス
１１０  電源部
１１１  ＹＣ処理部
１１２  圧縮・伸張部
１１３  Ｉ／Ｆ
１１４  メモリカード
１１５  ＥＥＰＲＯＭ
１１６  操作部
１１７  ＹＣ→ＲＧＢ変換部
１１８  ドライバ
【図１】
2008205922.tif 000003
【図２】
2008205922.tif 000004
【図３】
2008205922.tif 000005
【図４】
2008205922.tif 000006
【図５】
2008205922.tif 000007
【図６】
2008205922.tif 000008
【図７】
2008205922.tif 000009
【図８】
2008205922.tif 000010
【図９】
2008205922.tif 000011
【図１０】
2008205922.tif 000012
【図１１】
2008205922.tif 000013
【図１２】
2008205922.tif 000014